(57)【要約】【課題】  軟らかい便等検体でも硬めの普通の便等検体でも採取できるように工夫した検体採取用綿棒及び当該綿棒をキャップの内側に備えた検体採取容器を提供する。【解決手段】  綿棒は、軸部の先端個所に吸湿性を備えた柔らかい素材を巻着してソフト部が構成されると共に当該ソフト部にプラスチック等硬い素材により構成されたを目の大きい籠状体を被せ着けることによりハード部が構成されたことを特徴とし、また検体採取容器は、上記綿棒をキャップの内側に固定されたことをを特徴とする。【選択図】        図１
2006242928.tif 000002
【特許請求の範囲】
【請求項１】
吸湿性を備えた柔らかい素材により構成されたソフト部とプラスチック等硬い素材により構成されたハード部とで外表面が形成された綿体部が軸部の先端部に設けられたことを特徴とする検体採取用綿棒。
【請求項２】
軸部の先端個所に吸湿性を備えた柔らかい素材を巻着してソフト部が構成されると共に当該ソフト部にプラスチック等硬い素材により構成された目の大きい籠状体を被せ着けることによりハード部が構成されたことを特徴とする請求項１記載の検体採取用綿棒。
【請求項３】
籠状体の目が、縦桟及び横桟により構成されたことを特徴とする請求項２記載の検体採取用綿棒。
【請求項４】
軸部がプラスチック等硬い素材により構成され、ハード部が当該軸部の先端個所から一体に突設されたことを特徴とする請求項１記載の綿棒。
【請求項５】
ハード部に溝状部を設け、この溝状部に吸湿性を備えた柔らかい素材を嵌め込んだ状態で巻着することによりソフト部が設けられたことを特徴とする請求項４記載の検体採取用綿棒。
【請求項６】
溝状部がスクリュー形状であることを特徴とする請求項５記載の検体採取用綿棒。
【請求項７】
上記請求項１乃至６いずれか一つの請求項に係る綿棒を採取体としてキャップの内側に固着されたことを特徴とする検体採取容器。
【発明の詳細な説明】
【技術分野】
【０００１】  本発明は、吸湿性を備えた柔らかい素材により構成されたソフト部とプラスチック等硬い素材により構成されたハード部とで外表面が形成された綿体部を軸部の先端に備えた綿棒及び当該綿棒をキャップの内側に備えた検体採取容器に関する。具体的には軟らかい便等検体でも硬めの普通の便等検体でも採取できるように工夫した検体採取用綿棒及び当該綿棒をキャップの内側に備えた検体採取容器に関する。【０００２】  本文中では、液状もしくはそれに近い状態の糞便を軟便（ナンベン）と表現し、その他の糞便を普通便（フツウベン）と表現することにする。
【背景技術】
【０００３】  綿棒は、耳等人体の細部の清掃、精密機械の清掃、医療等に使用できる簡便な道具として広く利用されている。このように汎用されている綿棒は、吸湿性を備えた柔らかい素材により全体が構成された綿球部が軸部の先端に巻付けられた構成になっているものが多い。【０００４】  そこで、本発明者は、上記汎用の綿棒を使用して軟便の採取及び普通便の採取を試みた。その結果、軟便等検体は綿球部に吸湿付着させて比較的容易に採取できたが、普通便等検体は、綿球部に付着し難いため採取し難いことが判った。このためか、検便業界では軟便の採便、普通便の採便の両方ができるものとしては殆ど採用されていない。【０００５】  このようなことから、軟便の採取、普通便の採取の両方を難なくできる綿棒が待望されている。【０００６】  一方、採便用としてではなく耳清掃や化粧として、綿球部に粘着剤を付着させてから或いは付着させない状態で当該綿球部の所々を縮径するなどして凹凸形状部或いはスクリュー形状部を形成した綿棒（特許文献１）（特許文献２）（特許文献３）が提供されているが、いずれも綿球部の外表面の全体が一種類の柔らかい綿繊維、シリコン等素材のみにより構成されているだけであるので、軟便等検体と普通便等検体の両方を難なく採取するのには、些か不充分で向いていないものであった。なお、このことは、幾種類かを入手して試用することにより確かめることができた。【０００７】  しかして、本発明者は、吸湿性を備えた柔らかい素材により構成されたソフト部とプラスチック等硬い素材により構成されたハード部とで外表面が形成された綿体部を軸部の先端に備えた綿棒が、軟便等検体と普通便等検体の両方を難なく採取するのに極めて有効であることを突き止め、試行錯誤の結果、本発明を提案するに至ったものである。
【特許文献１】特許第３５８９６２４号公報
【特許文献２】特開平９−１８７３６９号公報
【特許文献２】実登３０６７７１９号公報
【発明の開示】
【発明が解決しようとする課題】
【０００８】  本発明は、軟便等検体と普通便等検体の両方を難なく採取しうるようにした新規の検体採取用綿棒を提供することを目的とする。
【課題を解決するための手段】
【０００９】  上記目的を達成するために、請求項１に係る検体採取用綿棒にあっては、吸湿性を備えた柔らかい素材により構成されたソフト部とプラスチック等硬い素材により構成されたハード部とで外表面が形成された綿体部を軸部の先端部に設けたことを特徴とする。【００１０】  したがって、軟便等検体はソフト部により採取でき、当該採取した軟便等検体はハード部により補助的に保持できる。また普通便等検体はハード部により掻き取るようにしたりあるいは擦り取るようにしたりして採取でき、当該採取した普通便等検体はソフト部により補助的に保持できる。この場合、ソフト部とハード部の境目には軟便等検体、普通便等検体がいわゆる入り込んだ状態になって効率よく採便できる。このように請求項１に係る綿棒によれば軟便等検体でも、普通便等検体でも、その他のスラッジ状検体、ゼリー状検体でも効率よく採取することが可能になり、所期の目的を完全に果たすことができる。【００１１】  請求項２に係る検体採取用綿棒にあっては、請求項１に係る検体採取用綿棒に関し、軸部の先端個所に吸湿性を備えた柔らかい素材を巻着してソフト部を構成すると共に当該ソフト部にプラスチック等硬い素材により構成された目の大きい籠状体を被せ着けることによりハード部を構成したことを特徴とする。【００１２】  したがって、ソフト部及びハード部が共存した構成の綿棒が比較的簡単に効率よくかつ安価に提供できる。【００１３】  請求項３に係る検体採取用綿棒にあっては、請求項２に係る検体採取用綿棒に関し、籠状体の目が縦桟及び横桟により構成されたことを特徴とする。【００１４】  したがって、検体の採取の際には軸方向に動かしても回転させても容易に効率よく採取することができる。【００１５】  請求項４に係る検体採取用綿棒にあっては、請求項１に係る検体採取用綿棒に関し、軸部がプラスチック等硬い素材により構成され、ハード部が当該軸部の先端個所から一体に突設されたことを特徴とする。【００１６】  したがって、ハード部と軸部は、一体に構成することが可能であり、量産化、低コスト化に好都合であるのみならず画一的なハード部及びソフト部の構成が容易に可能になり、不揃いではない良品を提供し易い。【００１７】  請求項５に係る検体採取用綿棒にあっては、請求項４に係る検体採取用綿棒に関し、ハード部に溝状部を設け、この溝状部に吸湿性を備えた柔らかい素材を嵌め込んだ状態で巻着することによりソフト部が設けられたことを特徴とする。【００１８】  したがって、吸湿性を備えた柔らかい素材の巻着作業が簡単且つ容易にでき、良品の提供に好適であり、量産化、低コスト化に好都合である。また、ソフト部はハード部の溝状部内に納まりガードされた状態なっているために崩形を起しにくい利点があるのみならずハード部は、上記したような擦り取り等を行う場合には、ソフト部の後ろ当て部材として機能して採便を容易にし、素早い採便を可能にする。【００１９】  請求項６に係る検体採取用綿棒にあっては、請求項５に係る検体採取用綿棒に関し、溝状部がスクリュー形状であることを特徴とする。【００２０】  したがって、吸湿性を備えた柔らかい素材の巻き付け作業が不慣れな製造作業者でも不揃いのない良品を容易にできる。また上記したような擦り取り等を行う場合、回転操作を加えて効率よく検体の採取できる。【００２１】  請求項７に係る検体採取容器にあっては、上記請求項１乃至６のいずれか一つの請求項に係る検体採取用綿棒を採取体としてキャップの内側に固着されたことを特徴とする。【００２２】  したがって、上記請求項１乃至６に係る検体採取用綿棒において述べたような上記の諸効果を有する検体採取容器を提供できる。
【発明の効果】
【００２３】  本発明によれば、軟便等検体でも、普通便等検体でも効率よく採取することができる検体採取用綿棒及び当該綿棒をキャップの内側に備えた検体採取容器を提供するという所期の目的を完全に達成するができる。
【発明を実施するための最良の形態】
【００２４】  図１乃至図３は、本発明の第１実施の形態に係る検体採取用綿棒を示し、図１は全体の斜視図であり、図２はその断面図であり、図３はハード部構成部材及び軸部を示す斜視図である。【００２５】  この第１実施の形態に係る検体採取用綿棒１は、吸湿性を備えた柔らかい素材により構成されたソフト部２とプラスチック等硬い素材により構成されたハード部３とで外表面が形成された綿体部４が紙製軸部５の先端部に設けられたものである。軸部５はプラスチックにすることができる。【００２６】  上記ソフト部２は、軸部５の先端個所に吸湿性を備えた柔らかい素材を巻着して長円球体形状に構成され、またハード部３は、上記ソフト部２にプラスチック製の硬い素材により構成された目の大きい籠状体６を被せ着けることにより構成されている。なお、上記柔らかい素材は、滅菌したポリエステル脱脂綿であり、滅菌した綿花脱脂綿、レーヨン脱脂綿等で実施することができる。【００２７】  上記籠状体６は、図に示すように半割り球体の形状を呈し、頂部には軸穴部７が設けられ、周壁には周縁部８と縦桟部９と横桟部１０により長方形の目１１が他数個まで形成されているものであって、図３に示すように、軸穴部７に軸部５を通した状態で綿体部４の方向にスライドさせて押し込む要領により綿体部４に被せ止めるようにされたものである。なお、図には示していないが、上記押し込み止め状態を維持するための逆戻り防止部が設けられている。この逆戻り防止部を設けずに接着手段、カシメ手段、その他の止め手段により止めることでも実施できる。なお、周縁部８、縦桟部９及び横桟部１０のエッジは検体を擦り取り或いは掻き取り易い角度、形にすることが望ましい。【００２８】  図４は、本発明の第２実施の形態に係る検体採取用綿棒１３を示し、図４は要部の展開斜視図である。この第２実施の形態に係る検体採取用綿棒１３は、籠状体６の構成が第１実施の形態に係る検体採取用綿棒１の籠状体６と異なっているが、その他は略同じ構成にしてあるものである。すなわち、籠状体６は、図４に示されているように一方端で相互に連結された二つ割体１４、１５から構成され、この二つ割体１４、１５を綿体部４の所定の個所に被せ閉じる要領で当該綿体部４に被せ止めるようにしてあるものである。なお、二つ割体１４、１５を被せ閉じ状態に維持する構成は、図に示していないが、掛部及び受部からなる係合手段や溶着・接着等接合手段を採用して実施することができる。【００２９】  また、図５及び図６は、本発明の第３実施の形態に係る検体採取用綿棒１７を示し、図５は全体の一部切断側面図であり、図６は軸部及びハード部を示す側面図である。【００３０】  この第３実施の形態に係る検体採取用綿棒１７は、その軸部１８がプラスチック製の硬い素材により構成され、当該軸部１８の先端個所から一体にハード部１９が突設されている。このハード部１９はスクリュー形状の溝状部２０を有し、当該スクリュー形状溝状部２０には吸湿性を備えた柔らかい素材を嵌め込んだ状態で巻着することによりソフト部２１が設けられているものである。【００３１】  また、図７及び図８は、本発明の第４実施の形態に係る検体採取用綿棒２３を示し、図７は全体の一部切断側面��であり、図６は軸部及びハード部を示す側面図である。【００３２】  この第４実施の形態に係る検体採取用綿棒２３は、上記スクリュー形状の溝状部２０をリング形状の溝状部２４にした点が、上記第３実施の形態に係る検体採取用綿棒１７と異なっているものである。したがって、他の同部位には同じ符号を付してその詳細説明は省略する。【００３３】  また、図９は、本発明の第５実施の形態に係る検体採取容器２６を示すものであり、この図９は全体の断面図である。【００３４】  この第５実施の形態に係る検体採取容器２６は、上記第１実施例に係る検体採取用綿棒１を採取体としてキャップ２７の内側に固着して構成されたものであり、キャップ２７を外し、これをツマミして上記検体採取用綿棒１により検体を採取するようにされたものである。【００３５】  本発明は、前記実施の形態１〜５に限定されるものではなく、本発明の特許請求の範囲に記載されている発明の精神を逸脱しない範囲で、種々の変更ができるものである。
【図面の簡単な説明】
【００３６】
【図１】本発明の第１実施の形態を示す全体の斜視図である。
【図２】同じく要部の断面図である。
【図３】同じくハード部構成部材及び軸部を示す斜視図である。
【図４】本発明の第２実施の形態を示す要部の展開斜視図である。
【図５】本発明の第３実施の形態を示す全体の一部切断側面図である。
【図６】同じく軸部及びハード部を示す側面図である。
【図７】本発明の第４実施の形態を示す全体の一部切断側面図である。
【図８】同じく軸部及びハード部を示す側面図である。
【図９】本発明の第５実施の形態を示す断面図である。
【符号の説明】
【００３７】  １  第１実施の形態に係る検体採取用綿棒
２  ソフト部
３  ハード部
４  綿体部
５  軸部
６  籠状体
７  軸穴部
８  周縁部
９  縦桟部
１０  横桟部
１１  目
１３  第２実施の形態に係る検体採取用綿棒
１４  二つ割体
１５  二つ割体
１７  第３実施の形態に係る検体採取用綿棒
１８  軸部
１９  ハード部
２０  溝状部
２１  ソフト部
２３  第４実施の形態に係る検体採取用綿棒
２４  溝状部
２６  第５実施の形態に係る検体採取容器
２７  キャップ
【図１】
2006242928.tif 000003
【図２】
2006242928.tif 000004
【図３】
2006242928.tif 000005
【図４】
2006242928.tif 000006
【図５】
2006242928.tif 000007
【図６】
2006242928.tif 000008
【図７】
2006242928.tif 000009
【図８】
2006242928.tif 000010
【図９】
2006242928.tif 000011